(57)【要約】【課題】低背型のチューナであっても充分なアンテナコネクタの取付強度を得ることができるアンテナコネクタ取付構造を提供する【解決手段】チューナ２のフレーム２ａの側板２ｅに形成されたコネクタ取付部２ｆにアンテナコネクタ３を固定すると共に、アンテナコネクタ３の外面に突設された突起部３ｅの先端を、チューナ２が搭載されたプリント配線基板１に固定した、チューナのアンテナコネクタ取付構造とする。アンテナコネクタ３が三次元立体的に保持、固定されるため、上下、左右、斜め方向、引抜き方向、捻じり方向などの外力に対するアンテナコネクタ３の総合的な取付強度が大幅に向上する。【選択図】図１
2012004027.tif 000002
【特許請求の範囲】
【請求項１】
チューナのフレームの側板に形成されたコネクタ取付部にアンテナコネクタを固定すると共に、アンテナコネクタの外面に突設された突起部の先端を、チューナが搭載されたプリント配線基板に固定したことを特徴とする、チューナのアンテナコネクタ取付構造。
【請求項２】
アンテナコネクタの外筒が、ダイキャスト成形された金属製の二つの半筒体を接合したものであって、一方又は双方の半筒体に突起部が突設されており、この突起部の先端がプリント配線基板に固定されていること特徴とする、請求項１に記載のチューナのアンテナコネクタ取付構造。
【請求項３】
アンテナコネクタの外筒が、金属板を筒状に曲げ加工して両端を接合したものであって、金属板の一端又は両端に突起部が突設されており、この突起部の先端がプリント配線基板に固定されていることを特徴とする、請求項１に記載のチューナのアンテナコネクタ取付構造。
【発明の詳細な説明】
【技術分野】
【０００１】
本発明はチューナのアンテナコネクタ取付構造に関し、更に詳しくは、低背型のチューナであっても充分なアンテナコネクタの取付強度が得られるように改良したアンテナコネクタ取付構造に関する。
【背景技術】
【０００２】
従来のテレビなどの映像機器においては、チューナフレームの側板にコネクタ取付部として円形の開口部を形成し、この開口部にアンテナコネクタを挿入した後、ハンダ付けもしくは加締めの手段で固定することにより、アンテナコネクタをチューナに取付けている。そして、このアンテナコネクタを取付けたチューナをテレビなどのプリント配線基板に搭載し、チューナフレームの脚部や、電気的な制御用あるいは信号伝送用の端子をプリント配線基板にハンダ付けして、チューナとプリント配線基板を固定している。
【０００３】
ところが、近時のテレビの薄型化に伴って、プリント配線基板に搭載するチューナも低背化が進んだのに対し、アンテナコネクタのサイズは従来と同じサイズであるため、アンテナコネクタを取付けるための円形の開口部を低背のチューナフレームの側板に形成することが困難になり、仕方なく略半円形の開口部を形成してアンテナコネクタを取付けるようにしている。
【０００４】
一方、筐体のネジ穴にアンテナコネクタをねじ込み、断面Ｃ型の係合部と該係合部から立設したピン状の接続端子部とからなるアンテナ接続具を使用して、その係合部をアンテナコネクタの中心コンタクトに嵌合すると共に、ピン状の接続端子部の先端をプリント配線基板にハンダ付けした接続構造が知られている（特許文献１）。
【０００５】
また、アンテナコネクタの中心の接続端子に絶縁ワッシャを介在させてＬ型の接点金具を固定すると共に、接点金具の先端をプリント配線基板のハンダ付けランドに接触させてネジ止めし、アンテナコネクタをケースの穴に挿入してナットで固定したアンテナコネクタの構造も知られている（特許文献２）。
【先行技術文献】
【特許文献】
【０００６】
【特許文献１】特開２００７−１３６３８号公報
【特許文献２】実用新案登録第３０１０２０４号公報
【発明の概要】
【発明が解決しようとする課題】
【０００７】
しかしながら、前述した従来のアンテナコネクタの取付構造のように、低背型のチューナフレームに形成された略半円形の開口部にアンテナコネクタをハンダ付けして取付ける場合は、アンテナコネクタの略半周をハンダ付けするだけであり、また、加締めて取付ける場合も、開口部が略半円形であれば強固に加締めることができないため、アンテナコネクタの取付強度が大幅に低下するという問題があった。それ故、アンテナケーブルの接続時や取外し時に、アンテナコネクタに上下、左右、斜め方向、引抜き方向、捻じり方向などの外力が作用すると、アンテナコネクタがチューナのフレームから剥離することがあり、また、アンテナコネクタが剥離しない場合でも、略半円形の開口部を形成したチューナフレームの側板は強度が弱いため変形することがあった。
【０００８】
一方、前記特許文献１の接続構造は、アンテナ接続具の係合部をアンテナコネクタの中心コンタクトに嵌合して、ピン状の接続端子部の先端をプリント配線基板にハンダ付けすることにより、中心コンタクトをＬ型に曲げないでプリント配線基板に電気的に接続できるようにしたものであって、このようなアンテナ接続具を用いても、アンテナコネクタの取付強度を向上させることは困難である。
【０００９】
同様に、前記特許文献２のアンテナコネクタの構造のように、アンテナコネクタの中心の接続端子をＬ型の接点金具でプリント配線基板に電気的に接続しても、アンテナコネクタの取付強度を向上させることは困難である。
【００１０】
本発明は上記事情の下になされたもので、その解決しようとする課題は、低背型のチューナであっても充分なアンテナコネクタの取付強度を得ることができるアンテナコネクタ取付構造を提供することにある。
【課題を解決するための手段】
【００１１】
上記課題を解決するため、本発明に係るチューナのアンテナコネクタ取付構造は、チューナのフレームの側板に形成されたコネクタ取付部にアンテナコネクタを固定すると共に、アンテナコネクタの外面に突設された突起部の先端を、チューナが搭載されたプリント配線基板に固定したことを特徴とするものである。
【００１２】
本発明においては、アンテナコネクタの外筒が、ダイキャスト成形された金属製の二つの半筒体を接合したものであって、一方又は双方の半筒体に突起部が突設されており、この突起部の先端がプリント配線基板に固定されていることが好ましい。
また、アンテナコネクタの外筒が、金属板を筒状に曲げ加工して両端を接合したものであって、金属板の一端又は両端に突起部が突設されており、この突起部の先端がプリント配線基板に固定されていることも好ましい。
【発明の効果】
【００１３】
本発明に係るチューナのアンテナコネクタ取付構造は、チューナフレームの側板に形成されたコネクタ取付部にアンテナコネクタを固定することに加え、アンテナコネクタの外面から突き出す突起部を介して、チューナが搭載されたプリント配線基板にも固定することにより、アンテナコネクタを三次元立体的に保持させたものであるから、上下、左右、斜め方向、引抜き方向、捻じり方向などの外力に対するアンテナコネクタの総合的な取付強度が大幅に向上し、チューナフレームも間接的に補強されることになる。従って、チューナが低背型であって、チューナフレームの側板に形成されるコネクタ取付部が略半円形の開口部である場合でも、充分なアンテナコネクタの取付強度を得ることができ、間接的にチューナフレームの側板も補強されるので、アンテナケーブルの接続時や取外し時にアンテナコネクタがチューナフレームから剥離したり、チューナフレームの側板に変形が生じたりすることがなくなり、信頼性を確保することができる。
【００１４】
外面に突起部を突設したアンテナコネクタを造る方法は特に限定されないが、前記のように、アンテナコネクタの外筒を、ダイキャスト成形された金属製の二つの半筒体を接合したものとなし、ダイキャスト成形時に一方又は双方の半筒体に突起部を突設しておけば、簡単に造ることができる。また、前記のように、アンテナコネクタの外筒を、金属板を筒状に曲げ加工して両端を接合したものとなし、曲げ加工前に金属板の一端又は両端に突起部を突設しておいても、簡単に造ることができる。
【図面の簡単な説明】
【００１５】
【図１】本発明に係るチューナのアンテナコネクタ取付構造の一実施形態を示す側面図である。
【図２】同実施形態のキャビネットを省略した正面図である。
【図３】アンテナコネクタの外筒の一例を示す断面図である。
【図４】アンテナコネクタの外筒の他の例を示す断面図である。
【発明を実施するための形態】
【００１６】
図１，図２に示すチューナのアンテナコネクタ取付構造は、例えば薄型の液晶テレビなどに採用されるものであって、プリント配線基板１に搭載されるチューナ２は、その高さがアンテナコネクタ３の直径よりも小さい低背型のチューナである。この低背型のチューナ２は、フレーム２ａの四隅の脚部２ｂをプリント配線基板１の穴に挿通して該基板１の裏面でハンダ付けすると共に、チューナ２の内部基板２ｃから下向きに引き出した制御用あるいは信号伝送用の複数のピン端子２ｄをプリント配線基板１の各穴に挿通して該基板１の裏面でハンダ付けすることにより、プリント配線基板１の表面に固定されている。
【００１７】
このチューナ２のフレーム２ａの側板２ｅには、図２に鎖線で示すように、コネクタ取付部として略半円形の開口部２ｆが形成されており、この開口部２ｆにアンテナコネクタ３の一端側の小径部３ａ（図１を参照）が嵌め込まれている。そして、アンテナコネクタ３の一端側のフランジ部３ｂが、チューナフレームの側板２ｅの開口部２ｆの外縁部に略半周に亘りハンダ付けされて固定されており、また、アンテナコネクタ３の中心のピン端子３ｃがＬ形に屈曲されて、チューナ２の内部基板２ｃにハンダ接続されている。
【００１８】
このアンテナコネクタ３の外面、即ち、ネジを切った外筒３ｄの表面には、脚状の突起部３ｅが下方のプリント配線基板１に向かって突設されており、この突起部３ｅはプリント配線基板１の穴に挿通され、該基板１の裏面にハンダ付けされて固定されている。そして、このアンテナコネクタ３は、薄型液晶テレビなどのキャビネット４に形成された穴４ａに挿通されて、外部に突き出している。
【００１９】
上記のように突起部３ｅを突設したアンテナコネクタ３の外筒３ｄは、例えば図３に示すように、アンテナコネクタの外筒３ｄを、ダイキャスト成形された金属製の二つの半筒体３０ｄ，３０ｄを接合して構成し、ダイキャスト成形時に一方の半筒体３０ｄに突起部３ｅを突設しておけば、簡単に造ることができる。また、図４に示すように、アンテナコネクタ３の外筒３ｄを、金属板３１ｄを筒状に曲げ加工して両端を接合して形成し、曲げ加工前に金属板３１ｄの一端に突起部３ｅを突設しておいても、簡単に造ることができる。
【００２０】
尚、金属の細帯体をアンテナコネクタ３の外筒３ｄに巻き付け、該細帯体の端部を突出させて突起部３ｅを形成するなど、他の方法で突起部３ｅをアンテナコネクタ３の外面に突設してもよいことは言うまでもない。
【００２１】
この実施形態のアンテナコネクタ取付構造のように、アンテナコネクタ３をチューナフレーム２ａの側板２ｅに形成された略半円形の開口部２ｆにハンダ付けし、更に、アンテナコネクタ３の外面から突き出す突起部３ｅによって、チューナ２が搭載されたプリント配線基板１にもアンテナコネクタ３を固定する構造にすると、アンテナコネクタ３が三次元立体的に保持されることになるため、上下、左右、斜め方向、引抜き方向、捻じり方向などの外力に対するアンテナコネクタ３の総合的な取付強度が大幅に向上し、チューナ２のフレーム２ａも間接的に補強されることになる。従って、この実施形態のように、チューナ２が低背型であって、チューナフレームの側板２ｅに形成されるコネクタ取付部が略半円形の開口部２ｆである場合でも、充分なアンテナコネクタ３の取付強度を得ることができ、間接的にチューナフレーム２ａの側板２ｄも補強されるので、アンテナケーブルの接続時や取外し時にアンテナコネクタ３がチューナフレーム２ａの側板２ｅから剥離したり、チューナフレームの側板２ｅに変形が生じたりすることがなくなり、信頼性を確保することができる。
【００２２】
尚、上記の実施形態では、アンテナコネクタ３をチューナフレー２ａムの側板２ｅに形成された略半円形の開口部２ｆにハンダ付けして固定しているが、アンテナコネクタ３を嵌合した開口部２ｆを加締めてアンテナコネクタ３を固定してもよいことは言うまでもない。
【００２３】
また、上記の実施形態では、アンテナコネクタ３の外面に突起部３ｅを一つだけ突設しているが、例えば、図３に示す双方の半筒体３０ｄ，３０ｄに突起部３ｅをそれぞれ設けたり、図４に示す筒状に曲げ加工した金属板３１ｄの両端に突起部３ｅをそれぞれ設けることによって、二つの突起部３ｅを突設してもよく、場合によっては三つ以上の突起部３ｅを突設してもよい。このように複数の突起部３ｅを突設すると、アンテナコネクタ３の取付強度を一層向上させることができる利点がある。なお、複数の突起部３ｅを突設する場合は、アンテナコネクタ３の軸方向に位置をずらしてもよいし、ずらさなくてもよい。
【符号の説明】
【００２４】
１    プリント配線基板
２    チューナ
２ａ  フレーム
２ｂ  脚部
２ｃ  内部基板
２ｄ  ピン端子
２ｅ  チューナフレームの側板
２ｆ  略半円形の開口部（コネクタ取付部）
３    アンテナコネクタ
３ｄ  外筒
３ｅ  突起部
４    キャビネット
【図１】
2012004027.tif 000003
【図２】
2012004027.tif 000004
【図３】
2012004027.tif 000005
【図４】
2012004027.tif 000006